【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
入力画像データにおける画像の動きの有無を判断する第１判断手段と、
前記第１判断手段の判断結果に基づく低減度合いで前記入力画像データの空間的な高周波成分の強度を低減する低減処理により、処理画像データを生成する処理手段と、
前記処理画像データに基づいて光を出力することにより第１画像を表示する第１パネルと、
前記第１パネルから出力された光を前記入力画像データに基づいて透過することにより第２画像を表示する第２パネルと、
を有し、
前記処理手段は、前記第１判断手段で前記動きがあると判断された場合に、前記第１判断手段で前記動きが無いと判断された場合に比べ低い低減度合いを用いる
ことを特徴とする表示装置。
【請求項２】
前記低減処理は、前記入力画像データの各画素について、対象の画素の階調値を、当該対象の画素を含む参照領域の平均階調値に変換する処理であり、
前記処理手段は、前記第１判断手段で前記動きがあると判断された場合に、前記第１判断手段で前記動きが無いと判断された場合に比べ小さい参照領域を用いる
ことを特徴とする請求項１に記載の表示装置。
【請求項３】
前記低減処理は、ローパスフィルタ処理であり、
前記処理手段は、前記第１判断手段で前記動きがあると判断された場合に、前記第１判断手段で前記動きが無いと判断された場合に比べ高い周波数を、前記ローパスフィルタ処理のカットオフ周波数として用いる
ことを特徴とする請求項１または２に記載の表示装置。
【請求項４】
前記入力画像データの階調値の時間変化に対応する、前記第１パネルと前記第２パネルの少なくとも一方の応答速度を判断する第２判断手段をさらに有し、
前記処理手段は、前記第１判断手段で前記動きがあると判断され且つ前記第２判断手段で判断された前記応答速度が低い場合に、前記第１判断手段で前記動きがあると判断され且つ前記第２判断手段で判断された前記応答速度が高い場合に比べ低い低減度合いを用い
る
ことを特徴とする請求項１乃至３のいずれか１項に記載の表示装置。
【請求項５】
前記第１パネルと前記第２パネルの少なくとも一方は、入力される階調値の時間変化が小さい場合に、当該時間変化が大きい場合に比べ、応答速度が低い、という特性を有し、
前記処理手段は、前記第１判断手段で前記動きがあると判断され且つ前記入力画像データの階調値の時間変化が小さい場合に、前記第１判断手段で前記動きがあると判断され且つ前記入力画像データの階調値の時間変化が大きい場合に比べ低い低減度合いを用いる
ことを特徴とする請求項１乃至３のいずれか１項に記載の表示装置。
【請求項６】
前記処理手段は、前記入力画像データにおける複数の画像領域のそれぞれについて個別に低減度合いを決定する
ことを特徴とする請求項１乃至５のいずれか１項に記載の表示装置。
【請求項７】
前記処理手段は、水平方向における高周波成分の強度の低減度合いとして、垂直方向における高周波成分の強度の低減度合いよりも低い低減度合いを用いる
ことを特徴とする請求項１乃至６のいずれか１項に記載の表示装置。
【請求項８】
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、
画像データに基づく第１制御画像データを用いて前記第１パネルの光の透過率を制御し、前記画像データに基づく第２制御画像データを用いて前記第２パネルの光の透過率を制御する制御手段と、
前記画像データに対して、空間的な高周波成分の強度を低減させる所定の処理を含む画像処理を施して、前記第２制御画像データを生成する生成手段と
を備え、
前記生成手段は、前記画像データが動画像データである場合に、第１処理条件で前記所定の処理を実行し、前記画像データが静止画像データである場合に、前記第１処理条件と異なる第２処理条件で前記所定の処理を実行する
ことを特徴とする表示装置。
【請求項９】
前記第１処理条件で前記所定の処理が施された前記画像データの空間的な高周波成分の強度は、前記第２処理条件で前記所定の処理が施された前記画像データの空間的な高周波成分の強度よりも高い
ことを特徴とする請求項８に記載の表示装置。
【請求項１０】
前記所定の処理は、前記画像データの各画素について、対象の画素の階調値を、当該対象の画素を含む参照領域の平均階調値に変換する処理であり、
前記第１処理条件における前記参照領域の大きさは、前記第２処理条件における前記参照領域の大きさよりも小さい
ことを特徴とする請求項８または９に記載の表示装置。
【請求項１１】
前記所定の処理は、ローパスフィルタ処理であり、
前記第１処理条件における前記ローパスフィルタ処理のカットオフ周波数は、前記第２処理条件における前記ローパスフィルタ処理のカットオフ周波数よりも高い
ことを特徴とする請求項８または９に記載の表示装置。
【請求項１２】
前記生成手段は、前記画像データが動画像データである場合に、前記所定の処理を実行せず、前記画像データが静止画像データである場合に、前記所定の処理を実行する
ことを特徴とする請求項８に記載の表示装置。
【請求項１３】
前記第１制御画像データは、前記所定の処理を含まない画像処理が施された前記画像データである
ことを特徴とする請求項８乃至１２のいずれか１項に記載の表示装置。
【請求項１４】
入力画像データの空間的な高周波成分の強度を低減する低減処理により、処理画像データを生成する処理手段と、
前記処理画像データに基づいて光を出力することにより第１画像を表示する第１パネルと、
前記第１パネルから出力された光を前記入力画像データに基づいて透過することにより第２画像を表示する第２パネルと、
を有し、
前記処理手段は、水平方向における高周波成分の強度の低減度合いとして、垂直方向における高周波成分の強度の低減度合いよりも低い低減度合いを用いる
ことを特徴とする表示装置。
【請求項１５】
発光部をさらに有し、
前記第１パネルは、前記発光部から発せられた光を前記処理画像データに基づいて透過することにより前記第１画像を表示する
ことを特徴とする請求項１〜７，１４のいずれか１項に記載の表示装置。
【請求項１６】
入力画像データから生成された処理画像データに基づいて光を出力することにより第１画像を表示する第１パネルと、
前記第１パネルから出力された光を前記入力画像データに基づいて透過することにより第２画像を表示する第２パネルと、
を有する表示装置の制御方法であって、
前記入力画像データにおける画像の動きの有無を判断する判断ステップと、
前記判断ステップの判断結果に基づく低減度合いで前記入力画像データの空間的な高周波成分の強度を低減する低減処理により、前記処理画像データを生成する処理ステップと、
を有し、
前記処理ステップでは、前記判断ステップで前記動きがあると判断された場合に、前記判断ステップで前記動きが無いと判断された場合に比べ低い低減度合いを用いる
ことを特徴とする制御方法。
【請求項１７】
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、
を有する表示装置の制御方法であって、
画像データに基づく第１制御画像データを用いて前記第１パネルの光の透過率を制御し、前記画像データに基づく第２制御画像データを用いて前記第２パネルの光の透過率を制御する制御ステップと、
前記画像データに対して、空間的な高周波成分の強度を低減させる所定の処理を含む画像処理を施して、前記第２制御画像データを生成する生成ステップと
を備え、
前記生成ステップでは、前記画像データが動画像データである場合に、第１処理条件で前記所定の処理を実行し、前記画像データが静止画像データである場合に、前記第１処理条件と異なる第２処理条件で前記所定の処理を実行する
ことを特徴とする制御方法。
【請求項１８】
画像データに基づいて光を出力することにより第１画像を表示する第１パネルと、前記第１パネルから出力された光を画像データに基づいて透過することにより第２画像を表示する第２パネルと、を有する表示装置の制御方法であって、
入力画像データの空間的な高周波成分の強度を低減する低減処理により、処理画像データを生成する処理ステップと、
前記処理画像データに基づいて前記第１パネルを制御するステップと、
前記入力画像データに基づいて前記第２パネルを制御するステップと、
を有し、
前記処理ステップでは、水平方向における高周波成分の強度の低減度合いとして、垂直方向における高周波成分の強度の低減度合いよりも低い低減度合いを用いることを特徴とする制御方法。
【請求項１９】
請求項１６乃至１８のいずれか１項に記載の制御方法の各ステップをコンピュータに実行させるためのプログラム。
【請求項２０】
請求項１６乃至１８のいずれか１項に記載の制御方法の各ステップをコンピュータに実行させるためのプログラムを格納した、コンピュータが読み取り可能な記憶媒体。
【手続補正２】
【補正対象書類名】明細書
【補正対象項目名】００１０
【補正方法】変更
【補正の内容】
【００１０】
本発明の第２の態様は、
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、
画像データに基づく第１制御画像データを用いて前記第１パネルの光の透過率を制御し、前記画像データに基づく第２制御画像データを用いて前記第２パネルの光の透過率を制御する制御手段と、
前記画像データに対して、空間的な高周波成分の強度を低減させる所定の処理を含む画像処理を施して、前記第２制御画像データを生成する生成手段とを備え、
前記生成手段は、前記画像データが動画像データである場合に、第１処理条件で前記所定の処理を実行し、前記画像データが静止画像データである場合に、前記第１処理条件と異なる第２処理条件で前記所定の処理を実行することを特徴とする表示装置である。
本発明の第３の態様は、
入力画像データの空間的な高周波成分の強度を低減する低減処理により、処理画像データを生成する処理手段と、
前記処理画像データに基づいて光を出力することにより第１画像を表示する第１パネルと、
前記第１パネルから出力された光を前記入力画像データに基づいて透過することにより
第２画像を表示する第２パネルと、
を有し、
前記処理手段は、水平方向における高周波成分の強度の低減度合いとして、垂直方向における高周波成分の強度の低減度合いよりも低い低減度合いを用いる
ことを特徴とする表示装置である。
【手続補正３】
【補正対象書類名】明細書
【補正対象項目名】００１１
【補正方法】変更
【補正の内容】
【００１１】
本発明の第４の態様は、
入力画像データから生成された処理画像データに基づいて光を出力することにより第１画像を表示する第１パネルと、
前記第１パネルから出力された光を前記入力画像データに基づいて透過することにより第２画像を表示する第２パネルと、を有する表示装置の制御方法であって、
前記入力画像データにおける画像の動きの有無を判断する判断ステップと、
前記判断ステップの判断結果に基づく低減度合いで前記入力画像データの空間的な高周波成分の強度を低減する低減処理により、前記処理画像データを生成する処理ステップと、を有し、
前記処理ステップでは、前記判断ステップで前記動きがあると判断された場合に、前記判断ステップで前記動きが無いと判断された場合に比べ低い低減度合いを用いることを特徴とする制御方法である。
【手続補正４】
【補正対象書類名】明細書
【補正対象項目名】００１２
【補正方法】変更
【補正の内容】
【００１２】
本発明の第５の態様は、
前面側に光を発するバックライトモジュールと、
前記バックライトモジュールの前面側に設けられ、前記バックライトモジュールから照射された光を透過する第１パネルと、
前記第１パネルの前面側に設けられ、前記第１パネルを透過した光を、さらに透過して画面に画像を表示する第２パネルと、を有する表示装置の制御方法であって、
画像データに基づく第１制御画像データを用いて前記第１パネルの光の透過率を制御し、前記画像データに基づく第２制御画像データを用いて前記第２パネルの光の透過率を制御する制御ステップと、
前記画像データに対して、空間的な高周波成分の強度を低減させる所定の処理を含む画像処理を施して、前記第２制御画像データを生成する生成ステップとを備え、
前記生成ステップでは、前記画像データが動画像データである場合に、第１処理条件で前記所定の処理を実行し、前記画像データが静止画像データである場合に、前記第１処理条件と異なる第２処理条件で前記所定の処理を実行することを特徴とする制御方法。
本発明の第６の態様は、
画像データに基づいて光を出力することにより第１画像を表示する第１パネルと、前記第１パネルから出力された光を画像データに基づいて透過することにより第２画像を表示
する第２パネルと、を有する表示装置の制御方法であって、
入力画像データの空間的な高周波成分の強度を低減する低減処理により、処理画像データを生成する処理ステップと、
前記処理画像データに基づいて前記第１パネルを制御するステップと、
前記入力画像データに基づいて前記第２パネルを制御するステップと、
を有し、
前記処理ステップでは、水平方向における高周波成分の強度の低減度合いとして、垂直方向における高周波成分の強度の低減度合いよりも低い低減度合いを用いることを特徴とする制御方法である。
【手続補正５】
【補正対象書類名】明細書
【補正対象項目名】００１３
【補正方法】変更
【補正の内容】
【００１３】
本発明の第７の態様は、上述した制御方法の各ステップをコンピュータに実行させるためのプログラムである。本発明の第８の態様は、上述した制御方法の各ステップをコンピュータに実行させるためのプログラムを格納した、コンピュータが読み取り可能な記憶媒体である。